(57)【要約】【課題】手摺桿が腰掛体の前側上方を横切る位置から離れた場合には、手摺桿を水平回動して側部の壁面に沿う位置に係止されるようにし、手摺桿の回動係止手段を単純化して部品点数を少なくし、使用者の回動係止操作が容易なトイレ室における手摺装置を提供すること。【解決手段】壁面Ｗに固着される手摺支持具１の上板部５には手載せ表面部４が被着され、下板部６には前後凹溝１２と左右凹溝１３が凹設されると共に停止突起２７が突設されている。手摺桿２は手摺支持具に軸着され、その下方部を前後凹溝または左右凹溝に嵌合することができると共にそれらの位置で手摺桿の縦面が停止突起に当接して過度の水平回動を防止している。【選択図】図１
2008067956.tif 000002
【特許請求の範囲】
【請求項１】
壁面に固着される側板部の上縁に手載せ表面部が上面に被着された上板部を、そして該側板部の下縁に下板部をそれぞれ対向して突設して短尺断面コ字状の手摺支持具が形成され、該手摺支持具の該上板部と該下板部との間に支軸が立設され、支持側端から把持側端まで延長する水平な手摺桿は、その下方部が底面の両側から両縦面が立上がる箱状断面をなすと共に該支持側端に近接して該支軸に水平回動可能および上下移動可能に軸着され、該手摺支持具の該下板部上には該支軸を中心としていずれも該手摺桿の該下方部が嵌合可能な該壁面に沿う方向に延びる前後凹溝と該壁面と垂直な方向に延びる左右凹溝とが凹設されると共に該壁面側における該前後凹溝と該左右凹溝との間には停止突起が上方に突設され、該手摺桿が該壁面前方における該壁面に沿う位置においては、該手摺桿の該下方部が該前後凹溝に嵌合すると共に該支軸より該把持側端寄りの該手摺桿における該縦面が該停止突起に当接し、また該手摺桿が該壁面と垂直な方向の位置においては、該手摺桿の該下方部が該左右凹溝に嵌合すると共に該支軸より該支持側端寄りの該手摺桿における該縦面が該停止突起に当接することによってそれぞれ該手摺桿を係止することを特徴とする手摺装置。
【請求項２】
前記手摺桿において、前記把持側端方向の前記支軸に近接した箇所には、下方に向けて付勢する発条部材が収容され、前記手摺支持具の前記下板部上には該発条部材の先端部が押圧接触するための前記支軸を中心とする凹部弧状平面が形成されていることを特徴とする請求項１記載の手摺装置。
【請求項３】
前記停止突起は、前記手摺桿の前記縦面に当接する突起頭部の下端に前記手摺支持具の前記下板部上に凹設された凹螺孔に螺合する突起螺脚部を有し、該突起螺脚部を該凹螺孔に螺着したものであることを特徴とする請求項１または請求項２記載の手摺装置。
【請求項４】
前記凹螺孔は前記手摺支持具の前記下板部における前後方向において前記左右凹溝を中心として対称的に２箇所凹設されていることを特徴とする請求項３記載の手摺装置。
【発明の詳細な説明】
【技術分野】
【０００１】
本発明は、トイレ室や浴室における手摺装置、特にトイレ室での便座に対する着座や起立に、または浴室内での着座や起立に有用な手摺装置に関する。
【背景技術】
【０００２】
高齢者等、脚の弱い使用者が手による支えを加えて便座に対する着座や起立を行うためにトイレ室内に手摺を設置することはよく知られた事柄であり、最近では使用者が便座に着座しているときには、手摺桿が便器の前側上方を横切る位置に係止され、使用者が便座に着座しようとするとき、又は便座から起立して離れようとするときには手摺桿を邪魔にならない位置に移動させる事例（例えば、特許文献１参照。）も見られる。
【０００３】
使用者が便座に着座しているときに、手摺桿が便器の前側上方を横切る位置に係止される手摺装置は、手摺桿が便器の前後方向の側部に位置する手摺装置に比較して、特に着座位置での使用者が手摺桿を両手で把持したり、手摺桿に寄りかかったりすることができるから、着座位置における使用者の姿勢を安定させるので、使用者が着座位置から転倒する事故を可成り防止することができることや、介助者が脱衣等の作業を容易に行えることなどで有用である。しかしながらかかる手摺装置は部品点数が多く、安価に設置することが困難であると共に、手摺桿が便器の前側上方を横切る位置から離れる場合には、手摺桿を上げ下げ操作しなくてはならず、可動式手摺桿の回動を行う手と固定式手摺桿で身体を支持する手とが絡み合ってしまい、固定式手摺桿から手を離さなければ回動操作ができないような事態が生じ、使用者に転倒の虞を生じる。したがってこれらの点について改良する余地を残している。浴室内での腰掛箇所についても同様のことが云える。
【０００４】
【特許文献１】特開２００４−７３８４０号公報
【発明の開示】
【発明が解決しようとする課題】
【０００５】
本発明が解決しようとする課題は、使用者が腰掛体に着座しているときに、手摺桿が腰掛体の前側上方を横切る位置に係止される手摺装置において、手摺桿が腰掛体の前側上方を横切る位置から離れた場合には、手摺桿を水平回動して腰掛体側部の壁面に沿う位置に係止されるようにし、手摺桿の回動係止手段を単純化して部品点数を少なくし、使用者の回動係止操作が容易なトイレ室における手摺装置を提供することにある。なお本発明にかかる手摺装置は、腰掛便器が設置されたトイレ室や腰掛箇所が存在する浴室において使用されるものであり、腰掛体はこれら腰掛便器、腰掛箇所を意味する。
【課題を解決するための手段】
【０００６】
前記課題を解決するために、本発明にかかる手摺装置では、壁面に固着される側板部の上縁に手載せ表面部が上面に被着された上板部を、そして該側板部の下縁に下板部をそれぞれ対向して突設して短尺断面コ字状の手摺支持具が形成され、該手摺支持具の該上板部と該下板部との間に支軸が立設され、支持側端から把持側端まで延長する水平な手摺桿は、その下方部が底面の両側から両縦面が立上がる箱状断面をなすと共に該支持側端に近接して該支軸に水平回動可能および上下移動可能に軸着され、該手摺支持具の該下板部上には該支軸を中心としていずれも該手摺桿の該下方部が嵌合可能な該壁面に沿う方向に延びる前後凹溝と該壁面と垂直な方向に延びる左右凹溝とが凹設されると共に該壁面側における該前後凹溝と該左右凹溝との間には停止突起が上方に突設され、該手摺桿が該壁面前方における該壁面に沿う位置においては、該手摺桿の該下方部が該前後凹溝に嵌合すると共に該支軸より該把持側端寄りの該手摺桿における該縦面が該停止突起に当接し、また該手摺桿が該壁面と垂直な方向の位置においては、該手摺桿の該下方部が該左右凹溝に嵌合すると共に該支軸より該支持側端寄りの該手摺桿における該縦面が該停止突起に当接することによってそれぞれ該手摺桿を係止することを主な特徴とする。
【０００７】
そして前記手摺桿の上下動操作を容易にするために、前記手摺桿において、前記把持側端方向の前記支軸に近接した箇所には、下方に向けて付勢する発条部材が収容され、前記手摺支持具の前記下板部上には該発条部材の先端部が押圧接触するための前記支軸を中心とする凹部弧状平面が形成されていることを特徴とする。
【０００８】
また前記停止突起を交換可能とするために、前記停止突起は、前記手摺桿の前記縦面に当接する突起頭部の下端に前記手摺支持具の前記下板部上に凹設された凹螺孔に螺合する突起螺脚部を有し、該突起螺脚部を該凹螺孔に螺着したものであることを特徴とする。
【０００９】
さらに手摺装置を部屋の左右いずれの壁面にも支障なく設置することができるようにするために、前記停止突起が螺着される前記凹螺孔は前記手摺支持具の前記下板部における前後方向において前記左右凹溝を中心として対称的に２箇所凹設されていることを特徴とする。
【発明の効果】
【００１０】
本発明は、次のような効果を奏する。
Ａ．手摺桿自体の断面形状そのものが手摺桿の係止手段の一部を構成することになっているから、係止手段の構造を単純化することで係止手段の故障の発生を極力防止することができると共に、部品点数を少なくして安価に製造することができる。
Ｂ．停止突起は、手摺桿を回動する場合に手摺桿の嵌合すべき前後凹溝および左右凹溝の位置を案内するばかりでなく手摺桿の過度の回動を防止する。
Ｃ．手摺桿の水平回動操作および前後凹溝および左右凹溝位置での上下動操作は、手摺桿の操作のみで行うために、操作は簡単で使用者の負担にならず、別体の操作手段を必要としないので部品点数を少なくして安価に製造することができる。
Ｄ．使用者は手摺桿と手摺支持具の手載せ表面部の双方を手の把持または載置する箇所として使用することができるから、使用者の転倒防止に役立つ。
【００１１】
Ｅ．手摺桿に下方に向けて付勢する発条部材が収容される態様では、前後凹溝および左右凹溝位置での嵌合状態から手摺桿を持上げる場合に僅かな力で持上げることができるようになるので、虚弱な使用者でも手摺桿の操作を容易に行うことができる。
Ｆ．停止突起が突起頭部と突起螺脚部とを有し、この突起螺脚部を手摺支持具における下板部上の凹螺孔に螺着したものである態様では、停止突起の交換を可能にすることができる。
Ｇ．この凹螺孔を下板部の前後方向において左右凹溝を中心として対称的に２箇所凹設した態様では、手摺装置を部屋の左右いずれの壁面にも支障なく設置することが可能となる。
【発明を実施するための最良の形態】
【００１２】
本発明を実施するための最良の形態について、以下実施例において、添付図面を参照しながら具体的に説明する。
【実施例】
【００１３】
本発明の実施例について添付図面を参照して説明する。
図１には、本発明に係る手摺装置をトイレ室に適用した状況が示される。図１において符号Ｆは床を示し、また符号Ｗは便器Ｔの前後方向に沿う一側の壁面である。手摺装置は、手摺支持具１と水平な手摺桿２を具備し、手摺桿２は実線で示されるように便器Ｔの前側上方を横切る位置と、二点鎖線で示されるように壁面Ｗ前方における壁面Ｗに沿う位置との間を水平回動可能であり、これらの両位置で係止させることができる。なお手摺支持具１は、手摺桿２が便器Ｔの前側上方を横切る適切な位置に配置されるように壁面Ｗ上に位置決めして壁面Ｗに固着される。図２は手摺桿２が便器を横切る状態の手摺装置を、さらに図３は手摺桿２が壁面Ｗに沿う状態の手摺装置を示している。
【００１４】
手摺支持具１は、図２乃至図７に示されるように、短尺断面コ字状に形成される。即ち便器の前後方向に沿う壁面Ｗに固着される側板部３の上縁に手載せ表面部４が上面に被着された上板部５を、そして側板部３の下縁に下板部６をそれぞれ対向して突設させて形成されている。手摺支持具１の主要部は金属等の硬質材料製であるが、上面に被着する手載せ表面部４は、使用者の手が載置されるために、手触りのよい繊維補強合成樹脂等で製造されると共に角隅部も面取りが施されている。また図４乃至図７に示されるように、この実施例では、下板部６もその上面に繊維補強合成樹脂層７が被着されたものとされていて、加工性の向上に役立っている。図６および図７に示されるように、手摺支持具１の側板部３は固着ねじ８，８によって壁面Ｗに固着される。図４および図５に示されるように、手摺支持具１の上板部５と下板部６との間にはその中央付近に手摺桿２を軸着した支軸９が、上下から上板部５および下板部６を通してビス１０，１０を支軸９の支軸螺孔１１，１１にねじ込むことによって立設されることになる。なお上面板６を通してねじ込まれるビス１０のビス頭は手載せ表面部４内に収容されてしまうから手載せ表面部４の上面には露出せず手触りを悪化させることはない。
【００１５】
そして図６および図７に示されるように、手摺支持具１の下板部６上には、支軸９を中心としていずれも手摺桿２の後述する下方部１９が嵌合可能であるトイレ室の壁面Ｗに沿う方向の前後凹溝１２、およびトイレ室の壁面Ｗと垂直な方向に延びる左右凹溝１３が凹設されると共に、トイレ室の壁面Ｗ側における前後凹溝１２と左右凹溝１３の間には後述する停止突起２７の突起螺脚部２７ｂを螺着するための凹螺孔１４，１４が凹設されている。この凹螺孔１４は手摺装置をトイレ室の左右いずれの壁面Ｗにも支障なく設置することができるようにするために、手摺支持具１の下板部６における前後方向において左右凹溝１３を中心として対称的に２箇所凹設されており、設置する壁面Ｗに応じてその１箇所のみが選択されて停止突起２７の突起螺脚部２７ｂが螺着される。さらにこの実施例では、後述する手摺桿２内に収容された発条部材２９の先端部３０が押圧接触するための支軸９を中心とする凹部弧状平面１５が形成されていることを特徴とする。これらの前後凹溝１２、左右凹溝１３、凹螺孔１４，１４、凹部弧状平面１５等はすべて加工が容易な下板部６における上面に被着された繊維補強合成樹脂層７に形成される。
【００１６】
次に手摺桿２について説明する。手摺桿２は図８にその縦断面が示されるように、両上縁に水平フランジ１６，１６が突設された口字形断面を有する金属等の剛質材料製の手摺骨格１７に対して、発泡ウレタン樹脂のような軟質合成樹脂製で倒Ｃ字形断面を有する軟質手摺被覆層１８が水平フランジ１６，１６を包込むように手摺骨格１７上部を被覆した断面構造を有する。手摺桿２の断面で特徴的な点は、手摺桿２の下方部１９が底面２０の両側から両縦面２１，２１が立上がる箱状断面を有していることである。手摺桿２は手摺が手摺支持具１によって支持される側の支持側端２２から使用者によって把持される側の把持側端２３迄延長し、支持側端２２および把持側端２３にはそれぞれ端部キャップ２４，２４が嵌着されている。水平な手摺桿２は支持側端２２に近接した箇所で支軸９に水平回動可能および上下移動可能に軸着されている。即ち手摺桿２の支持側端２２に近接して内部にブロック２５が内蔵固定され、ブロック２５には上下方向に手摺桿２の水平回動可能および上下移動可能な軸受２６が取付けられている。そして軸受２６を支軸９に挿通させることにより手摺桿２が支軸９に軸着されることになる。
【００１７】
手摺桿２は支軸９を中心に水平回動可能にまた上下移動可能とされ、手摺桿２を持上げた状態で水平回動させ、手摺支持具１の下板部６における前後凹溝１２の位置、即ち手摺桿２がトイレ室の壁面Ｗに沿った位置において手摺桿２を降下させれば、手摺桿２の下方部１９は下板部６の前後凹溝１２に嵌合して係止される。同様に手摺支持具１の下板部６における左右凹溝１３の位置、即ち手摺桿２が壁面Ｗと垂直である便器Ｔの前方上方を横切る位置で手摺桿２を降下させれば、手摺桿２の下方部１９は下板部６の左右凹溝１３に嵌合して係止される。このように手摺桿２自体の断面形状そのものが手摺桿２の係止手段の一部を構成することになっているから、係止手段の構造を単純化することで係止手段の故障の発生を極力防止することができると共に、部品点数を少なくして安価に製造することができる。また手摺桿２の水平回動操作および前後凹溝１２および左右凹溝１３位置での上下動操作は、手摺桿２の操作のみで行うために、操作は簡単で使用者の負担にならず、別体の操作手段を必要としないので部品点数を少なくして安価に製造することができる。図２および図６，図７，図９に示される停止突起２７は、本実施例では交換可能なように手摺桿２の縦面２１に当接する外周が合成樹脂層で被覆された突起頭部２７ａと下板部６の凹螺孔１４に螺着するための突起螺脚部２７ｂを備えた別体の部品を螺着して形成されている。前述のように凹螺孔１４は下板部６に２箇所凹設されているが、一個のみしか必要とされない停止突起２７は、壁面Ｗに沿う位置に手摺桿２が回動された場合に手摺桿２の把持側端２３が壁面Ｗの前方を向いた側の一方の凹螺孔１４のみに部品を螺着して形成される。
【００１８】
そして図７に示されるように、手摺桿２が壁面Ｗ前方における壁面Ｗに沿う位置において手摺桿２の下方部１９が前後凹溝１２に嵌合すると、支軸９より把持側端寄り（支持側端２２の反対側寄り）の手摺桿２における縦面２１が該停止突起２７に当接し、手摺桿２を持上げた場合にも、手摺桿２がさらに水平回動して手摺桿２が壁面Ｗに接近することを防止する。同様に図６に示されるように、手摺桿２が便器Ｔの前側上方を横切る位置において手摺桿２の下方部１９が左右凹溝１３に嵌合すると、支軸９より支持側端２２寄りの手摺桿２における縦面２１が停止突起２７に当接し、手摺桿２を持上げた場合にも、手摺桿２がさらに水平回動して便器Ｔに着座している使用者側に接近することを防止する。このように停止突起２７は、手摺桿２を回動する場合に手摺桿２の嵌合すべき前後凹溝１２および左右凹溝１３の位置を案内するばかりでなく手摺桿２の過度の回動を防止する。下板部６に当初から固定された停止突起２７を突設することも可能であるが、停止突起２７を別体の部品で形成すれば、消耗したときに交換も可能であり、手摺支持具１を便器Ｔの左右いずれの壁面Ｗに設置する場合でも、下板部６に２箇所凹設されている凹螺孔１４のいずれかに部品を螺着して停止突起２７を形成することにより、同一構造の手摺支持具１を使用することができる。
【００１９】
図４乃至図７に示されるように、手摺桿２に内蔵固定されたブロック２５の把持側端２３方向の支軸９に近接した箇所には、縦孔２８が穿設され、内部に下方に向けて付勢する発条部材２９が収容されている。そして手摺支持具１に軸着された手摺桿２における発条部材２９の先端部３０は前記した手摺支持具１における下板部６の凹部弧状平面１５に接触して押圧する。この押圧によって手摺桿２を持上げる反力が発生する。手摺桿２の重力に対して発条部材２９に調整した弾力を付与することにより、手摺桿２から手を離した状態では、手摺桿２の下方部１９が前後凹溝１２または左右凹溝１３に確実に嵌合されると共に、これら嵌合状態から手摺桿２を持上げる場合には僅かな力で持上げることができるようになるので、虚弱な使用者でも手摺桿２の操作を容易に行うことができる。
【００２０】
この手摺装置では、使用者の手が把持または載置する対象は手摺桿２および手摺支持具１上の手載せ表面部４の両者である。手摺装置の典型的な使用例を説明すると、使用者がトイレ室に入室するときには、先ず壁面Ｗに沿う位置の手摺桿２を一方の手で把持して前進し、次いで身体の回転を伴いながら他方の手を手載せ表面部４に載置する。そして体重を手載せ表面部４に載置した他方の手に負担させた状態で便座に着座する。さらに一方の手で壁面Ｗに沿う位置にある手摺桿２を持上げて前後凹溝１２の嵌合を解除した後に使用者側に回動させて便器前方上方を横切る位置で手摺桿２を降下させて左右凹溝１３に嵌合させ、着座位置を調節した後に便座に着座した状態で両手や腕を手摺桿２に載置するなどして身体を支える。便座に着座した状態からトイレ室を退室する場合には、便座に着座したまま他方の手を手載せ表面部４に載置させ、一方の手で手摺桿２を持上げて左右凹溝１３の嵌合を解除した後に前方に回動させて壁面Ｗに沿う位置で手摺桿２を降下させ前後凹溝１２に嵌合させる。そして体重を手載せ表面部４に載置した他方の手に負担させた状態で起立し、他方の手を手載せ表面部４から連続する手摺桿２に移動して持替え、そのまま前進して退出する。手載せ表面部４から手摺桿２は連続しているから手の移動持替えは容易である。典型的な使用例では、トイレ室内で少なくとも使用者の一方の手が手摺桿２または手摺支持具１の手載せ表面部４のいずれかを把持または載置した状態にあって身体を支持することができ、両手を離さなければならない事態を生ずることがないから、使用者の転倒を防止することができる。またトイレ室への出入の際には、手摺桿２は壁面Ｗに沿う位置に係止されているから、手摺桿２を利用して歩行することができる。
【図面の簡単な説明】
【００２１】
【図１】手摺装置を設置したトイレ室の斜視図である。
【図２】手摺桿が壁面と垂直な状態の手摺装置の斜視図である。
【図３】手摺桿が壁面に沿う状態の手摺装置の斜視図である。
【図４】手摺桿が下ろされた状態の手摺装置の縦断面図である。
【図５】手摺桿が持上げられた状態の手摺装置の縦断面図である。
【図６】手摺桿が壁面と垂直な状態の手摺装置の横断面図である。
【図７】手摺桿が壁面に沿う状態の手摺装置の横断面図である。
【図８】手摺桿の縦断面図である。
【図９】停止突起の部品を示す斜視図である。
【符号の説明】
【００２２】
１  手摺支持具
２  手摺桿
３  側板部
４  手載せ表面部
５  上板部
６  下板部
９  支軸
１２  前後凹溝
１３  左右凹溝
１４  凹螺孔
１５  凹部弧状平面
１９  下方部
２０  底面
２１  縦面
２２  支持側端
２３  把持側端
２６  軸受
２７  停止突起
２７ａ  突起頭部
２７ｂ  突起螺脚部
２８  縦孔
２９  発条部材
３０  先端部
Ｗ  壁面
Ｒ  手摺装置
【図１】
2008067956.tif 000003
【図２】
2008067956.tif 000004
【図３】
2008067956.tif 000005
【図４】
2008067956.tif 000006
【図５】
2008067956.tif 000007
【図６】
2008067956.tif 000008
【図７】
2008067956.tif 000009
【図８】
2008067956.tif 000010
【図９】
2008067956.tif 000011